(57)【要約】【課題】外形寸法の増大を抑制しつつ、極板に堆積した煤じんを良好に洗浄できる電気集じん機を提供する。【解決手段】洗浄装置６を集じんユニット２の上方に配置し、複数の洗浄ノズル８の一部は洗浄水７の噴霧方向が鉛直下向きから所定の角度をつけた方向に配置することにより、集じんユニット２と洗浄装置６の距離が短くても洗浄ノズル８の数を増やすことなく集じんユニット２上面を全体的にカバーして洗浄することができるものである。【選択図】図２
2015100751.tif 000002
【特許請求の範囲】
【請求項１】
箱状の筐体と、前記筐体内の風路中に設けられた集じんユニットと、前記集じんユニットを洗浄する洗浄装置とを備えた電気集じん機であって、
前記集じんユニットは互いに平行な複数の平板状の極板を有し、
前記筐体に備え付けられた前記洗浄装置は複数の洗浄ノズルを有し、
前記複数の洗浄ノズルは前記集じんユニットの上方に配置され、
前記複数の洗浄ノズルの一部は洗浄水の噴霧方向が鉛直下向きから所定の角度をつけた方向に配置されていることを特徴とする電気集じん機。
【請求項２】
前記複数の洗浄ノズルの内、通風方向に対し風上端または風下端の洗浄ノズルの一部または全部は、噴霧方向が前記集じんユニットの中央側に向けて配置されていることを特徴とする請求項１に記載の電気集じん機。
【請求項３】
前記複数の洗浄ノズルは通風方向側に隣り合う２つの洗浄ノズルを有し、
前記隣り合う２つの洗浄ノズルから噴霧される洗浄水が前記集じんユニット上方で互いに交差することを特徴とする請求項１または２に記載の電気集じん機。
【請求項４】
前記複数の洗浄ノズルは通風方向端部よりも前記集じんユニットの中央に近いほど鉛直下向きに対する角度を大きくつけ、
前記集じんユニットの前記中央は通風方向における中央であることを特徴とする請求項１から３の何れか１項に記載の電気集じん機。
【請求項５】
前記複数の洗浄ノズルは、前記集じんユニットの前記中央の直上を避けて配置されることを特徴とする請求項１から４の何れか１項に記載の電気集じん機。
【請求項６】
前記集じんユニットの通風方向の風上端よりも風上または風下端よりも風下に空気配管を設け、
鉛直下向きに対して前記集じんユニットの中央側に角度をつけて前記空気配管から圧縮空気が吹き出すことを特徴とする請求項１から５の何れか１項に記載の電気集じん機。
【請求項７】
前記集じんユニットを下段と上段に段積み状に設置し、
下段の前記集じんユニットの上方には下段の前記複数の洗浄ノズルが配置され、
上段の前記集じんユニットの上方には上段の前記複数の洗浄ノズルが配置され、
前記下段の前記複数の洗浄ノズルから噴霧される水量は前記上段の前記複数の洗浄ノズルから噴霧される水量よりも少ないことを特徴とする請求項１から６の何れか１項に記載の電気集じん機。
【請求項８】
前記集じんユニットを下段と上段に段積み状に設置し、
下段の前記集じんユニットの上方には下段の前記複数の洗浄ノズルが配置され、
上段の前記集じんユニットの上方には上段の前記複数の洗浄ノズルが配置され、
前記下段の前記複数の洗浄ノズルの一部は前記上段の前記集じんユニットおよび前記下段の前記集じんユニットの両方に洗浄水を噴霧することを特徴とする請求項１から７の何れか１項に記載の電気集じん機。
【請求項９】
前記集じんユニットを下段と上段に段積み状に設置し、
前記集じんユニットの通風方向の風上端または風下端の外側に洗浄水ガイドを設け、
前記洗浄水ガイドは上段の前記集じんユニットから降下する洗浄水を下段の前記集じんユニット上面にガイドして流すことを特徴とする請求項１から８の何れか１項に記載の電気集じん機。
【請求項１０】
前記集じんユニットの前記極板の下端は通風方向において前記集じんユニットの端部から中央に向かうにつれて下降する傾斜を付けたことを特徴とする請求項１から９の何れか１項に記載の電気集じん機。
【請求項１１】
前記複数の洗浄ノズルの内のすべての洗浄ノズルは洗浄水の噴霧方向が、通風方向において、鉛直下向きから前記集じんユニットの中央側に角度をつけた方向にそれぞれ配置されていることを特徴とする請求項１から１０の何れか１項に記載の電気集じん機。
【発明の詳細な説明】
【技術分野】
【０００１】
本発明は、自動車用トンネル等において、トンネル内の煤じんを捕集する電気集じん機に関するものである。
【背景技術】
【０００２】
従来、この種の電気集じん機は、極板上に捕集された煤じんを洗浄装置によって水で洗浄する。電気集じん機の洗浄装置は洗浄水を噴霧する複数の洗浄ノズルを装着した管状のノズル用管体と、このノズル用管体の複数に共通に洗浄水を供給するヘッダー管が備えられている。そしてヘッダー管およびノズル用管体を介して供給される高圧の洗浄水を洗浄ノズルから噴霧して極板表面などに堆積した煤じんを洗い流す。洗浄装置は集じんユニットの上面側に配置されるかあるいは前面側（空気の風上側）と後面側（空気の風下側）のそれぞれに対向して配置されることが多い。
【０００３】
例えば特許文献１のように、洗浄装置がそれぞれの集じんユニットの上面側のみに配置する電気集じん機が発案されている。
【０００４】
以下、この従来技術の電気集じん機について図１１を参照しながら説明する。
【０００５】
図１１に示す従来の電気集じん機１０１は煤じんを捕集する集じんユニット１０２が筐体（図示せず）の内部に複数台収納されている。洗浄装置１０３はこれら集じんユニット１０２のそれぞれ上方に配置されており、高圧の洗浄水１０４を吐出する複数の洗浄ノズル１０５を取り付けた複数のノズル用管体１０６と、この複数のノズル用管体１０６に共通に洗浄水１０４を供給するヘッダー管１０７とを備えている。ノズル用管体１０６とヘッダー管１０７は共に円管であり、溶接法などの接合方法によって水密に接合されている。ノズル用管体１０６には洗浄ノズル１０５が取り付けられ洗浄水が垂直下向きに噴霧１０８される。
【０００６】
この従来技術の電気集じん機は洗浄装置が集じんユニットの上面側に配置されているので、洗浄装置が集じんユニットの流入側および流出側に配置されている電気集じん機に比べ、洗浄ノズルから噴霧される洗浄水は、自由落下時の重力による加速度の増加作用を利用できることで空気の抵抗の影響を低減でき、各集じんユニットはその下部であっても高圧の洗浄水の速度水頭による煤じんの除去効果を利用できる。
【先行技術文献】
【特許文献】
【０００７】
【特許文献１】特開２００４−２４３１５９号公報
【発明の概要】
【発明が解決しようとする課題】
【０００８】
このように従来の電気集じん機は、洗浄ノズルから噴霧する洗浄水により集じんユニットの極板表面などに堆積した煤じんを洗い流す構成となっている。しかし、洗浄装置が集じんユニットの流入側および流出側のそれぞれに対向配置された洗浄ユニットから水平方向に噴霧された洗浄水による煤じんの除去は、極板の端部から中央部に近づくにつれて洗浄水の流速が低下するなどにより、媒じんの除去能力が低下する。また、集じんユニットの流入側および流出側の洗浄ユニットは空気流路の圧力損失を増加させる要因の一つになる。
【０００９】
また、洗浄ノズルを固定して洗浄水を一様に噴霧する場合、集じんユニット下方の極板上には細長い水路が形成されやすく、極板上の水路以外の部分に堆積した媒じんを一部洗い流せないこととなる。また、洗浄水の噴流方向に対する極板裏面は洗浄水が噴霧されず、堆積した煤じんを十分に洗い落とすことが出来ないという課題を有していた。
【００１０】
更に、前述（特許文献１）の電気集じん機のように集じんユニットの上面側に洗浄装置を配置する方法は、集じんユニットの流入側および流出側に配置する方法に比べ、その高さ寸法が増大してしまうことになる。この課題に対し、ノズル用管体の水平中心軸と平行するようにＬ字継手付きの洗浄ノズルを取り付けることで、洗浄ノズル先端部とノズル用管体の下端部との距離を短くする工夫がされているが、電気集じん機は寸法制約が極めて厳しいトンネル内や換気塔内に設置される装置なので、外形寸法の増大は大きな課題になる。
【００１１】
そこで本発明は、上記従来の課題を解決するものであり、電気集じん機の外形寸法の増大を抑制しながらも、洗浄水の流速が低下することなく、また集じんユニット下方の極板上に細長い水路が形成されることを抑制し、更に洗浄水の噴流方向に対する極板裏面にも洗浄水が噴霧されることで、極板に堆積した煤じんの洗い残しを減らすことで集じん性能の低下を抑止する電気集じん機を提供することを目的とする。
【課題を解決するための手段】
【００１２】
そして、この目的を達成するために、本発明は、箱状の筐体と、前記筐体内の風路中に設けられた集じんユニットと、前記集じんユニットを洗浄する洗浄装置とを備えた電気集じん機であって、前記集じんユニットは互いに平行な複数の平板状の極板を有し、前記筐体に備え付けられた前記洗浄装置は複数の洗浄ノズルを有し、前記複数の洗浄ノズルは前記集じんユニットの上方に配置され、前記複数の洗浄ノズルの一部は洗浄水の噴霧方向が鉛直下向きから所定の角度をつけた方向に配置されていることを特徴とする電気集じん機としたものであり、これにより所期の目的を達成するものである。
【発明の効果】
【００１３】
本発明によれば、洗浄装置は前記集じんユニットの上方に配置され、洗浄ノズルは洗浄水の噴霧方向が鉛直下向きから所定の角度をつけた方向に配置することにより、１つの洗浄ノズルから集じんユニット上面へ散布される噴霧面積が大きくなり、集じんユニットと洗浄装置の距離が短くても洗浄ノズルの数を増やすことなく集じんユニット上面を全体的にカバーすることができる。すなわち安価でコンパクトな電気集じん機を提供できる。
【図面の簡単な説明】
【００１４】
【図１】本発明の実施の形態１実施例１の電気集じん機の構成を示す斜視図
【図２】本発明の実施の形態１実施例１の電気集じん機の構成を示す説明図
【図３】本発明の実施の形態１実施例２の電気集じん機の構成を示す説明図
【図４】本発明の実施の形態１実施例３の電気集じん機の構成を示す説明図
【図５】本発明の実施の形態１実施例４の電気集じん機の構成を示す説明図
【図６】本発明の実施の形態１実施例５の電気集じん機の構成を示す説明図
【図７】本発明の実施の形態２の電気集じん機の構成を示す説明図
【図８】本発明の実施の形態３実施例１の電気集じん機の構成を示す説明図
【図９】本発明の実施の形態３実施例２の電気集じん機の構成を示す説明図
【図１０】本発明の実施の形態４の電気集じん機の構成を示す説明図
【図１１】従来の電気集じん機の構成を示す説明図
【発明を実施するための形態】
【００１５】
本発明の請求項１記載の電気集じん機は、箱状の筐体と、前記筐体内の風路中に設けられた集じんユニットと、前記集じんユニットを洗浄する洗浄装置とを備えた電気集じん機であって、前記集じんユニットは互いに平行な複数の平板状の極板を有し、前記筐体に備え付けられた前記洗浄装置は複数の洗浄ノズルを有し、前記複数の洗浄ノズルは前記集じんユニットの上方に配置され、前記複数の洗浄ノズルの一部は洗浄水の噴霧方向が鉛直下向きから所定の角度をつけた方向に配置された構成を有する。
【００１６】
これにより、１つの洗浄ノズルから集じんユニット上面へ散布される噴霧面積が大きくなり、集じんユニットと洗浄装置の距離が短くても洗浄ノズルの数を増やすことなく集じんユニット上面全体をカバーすることができる。すなわち安価で全高の低い電気集じん機を提供できる効果を奏する。
【００１７】
また、前記複数の洗浄ノズルの内、通風方向に対し風上端または風下端の洗浄ノズルの一部または全部は、噴霧方向が前記集じんユニットの中央側に向けて配置される構成にしてもよい。
【００１８】
これにより、洗浄水が集じんユニットの外に飛散しにくくなる効果を奏する。
【００１９】
また、前記複数の洗浄ノズルは通風方向側に隣り合う２つの洗浄ノズルを有し、前記隣り合う２つの洗浄ノズルから噴霧される洗浄水が前記集じんユニット上方で互いに交差する構成にしてもよい。
【００２０】
これにより、集じんユニット上方で水流が乱れるので、極板上に噴霧された洗浄水が極板に沿って下降する際に、極板上に細長い水路が形成されにくくなる。更に洗浄ノズルの噴流方向に対して極板の裏面にも洗浄水が掛かりやすくなるので、煤じんの洗い残しを減らせる。
【００２１】
また、前記複数の洗浄ノズルは通風方向端部よりも前記集じんユニットの中央に近いほど鉛直下向きに対する角度を大きくつけ、前記集じんユニットの前記中央は通風方向における中央とする構成にしてもよい。
【００２２】
これにより、集じんユニットの中央に近い洗浄ノズルほど１つの洗浄ノズルから集じんユニット上面へ散布される噴霧面積が大きくなり、かつ通風方向側に隣り合う２つの洗浄ノズルから噴霧される洗浄水が互いに交差する量が増す。また、通風方向端部の洗浄ノズルは集じんユニット直上から近い位置に配置することが可能となり、洗浄装置の通風方向への大きさをコンパクトにできる効果を奏する。
【００２３】
また、前記複数の洗浄ノズルは、前記集じんユニットの前記中央の直上を避けて配置する構成にしてもよい。
【００２４】
これにより、通風方向の風上端または風下端に洗浄ノズルを配置すればよく、噴霧の状態の確認や洗浄ノズルの交換が容易になり、配管及び洗浄ノズルの数量を減らすことが可能となりコストを抑えられる効果を奏する。
【００２５】
また、前記集じんユニットの通風方向の風上端よりも風上または風下端よりも風下に空気配管を設け、鉛直下向きに対して前記集じんユニットの中央側に角度をつけて前記空気配管から圧縮空気が吹き出す構成にしてもよい。
【００２６】
これにより、洗浄水が集じんユニットの外に飛散しにくくなる効果が高まる。
【００２７】
また、前記集じんユニットを下段と上段に段積み状に設置し、下段の前記集じんユニットの上方には下段の前記複数の洗浄ノズルが配置され、上段の前記集じんユニットの上方には上段の前記複数の洗浄ノズルが配置され、前記下段の前記複数の洗浄ノズルから噴霧される水量は前記上段の前記複数の洗浄ノズルから噴霧される水量よりも少ない構成にしてもよい。
【００２８】
これにより、下段の集じんユニットは上段の集じんユニットから滴下する洗浄水が掛かり極板上の煤じんを洗い流すので、少ない洗浄水量で所定の洗浄効果を得ることができる。
【００２９】
また、前記集じんユニットを下段と上段に段積み状に設置し、下段の前記集じんユニットの上方には下段の前記複数の洗浄ノズルが配置され、上段の前記集じんユニットの上方には上段の前記複数の洗浄ノズルが配置され、前記下段の前記複数の洗浄ノズルの一部は前記上段の前記集じんユニットおよび前記下段の前記集じんユニットの両方に洗浄水を噴霧する構成にしてもよい。
【００３０】
これにより、上段の集じんユニットは上方からの水流と下方からの水流が交差し、水路の形成を抑えて極板の洗い残しを減らせる。
【００３１】
また、前記集じんユニットを下段と上段に段積み状に設置し、前記集じんユニットの通風方向の風上端または風下端の外側に洗浄水ガイドを設け、前記洗浄水ガイドは上段の前記集じんユニットから降下する洗浄水を下段の前記集じんユニット上面にガイドして流す構成にしてもよい。
【００３２】
これにより、集じんユニット外部への飛散量を減らし、下段集じんユニットの洗浄効果を高められる。
【００３３】
また、前記集じんユニットの前記極板の下端は通風方向において前記集じんユニットの端部から中央に向かうにつれて下降する傾斜を付けた形状にしてもよい。
【００３４】
これにより、上段集じんユニットから下段集じんユニットに滴下する洗浄水が通風方向の中央部へ集められるため、集じんユニット外部への飛散量を減らし、下段集じんユニットの洗浄効果を高められる。
【００３５】
また、前記複数の洗浄ノズルの内のすべての洗浄ノズルは洗浄水の噴霧方向が、通風方向において、鉛直下向きから前記集じんユニットの中央側に角度をつけた方向にそれぞれ配置されていてもよい。
【００３６】
これにより、洗浄水が集じんユニットの外に飛散しにくくなる効果を奏する。
【００３７】
（実施の形態１）
図１から図６を用いて第１の実施の形態による電気集じん機について説明する。
【００３８】
電気集じん機１は箱状の筐体３と、筐体３の内部に収納された集じんユニット２を備えている。
【００３９】
集じんユニット２は帯電部４と集じん部５で構成され、図示しない煤じんを含む気流２０が筐体３の風路中に設けられた集じんユニット２を通過する。
【００４０】
帯電部４および集じん部５は互いに平行な複数の平板状の極板で構成され、高電圧が印加される板と接地されている板が互い違いに電気的に絶縁された構造となっている。帯電部４および集じん部５を構成する極板は、それぞれ気流２０方向に沿った向きに配置されている。
【００４１】
気流２０風上の帯電部４は煤じんを帯電する。そして風下の集じん部５は高電圧が印加される極板と接地した極板との空間で形成される強電界により、静電気力で帯電した煤じんを極板の表面などで捕集する。
【００４２】
電気集じん機１は捕集した煤じんが堆積し続けると絶縁抵抗が低下しスパークを発生し集じん性能が低下するため、定期的に堆積した煤じんを水で洗う必要がある。そのため、電気集じん機１は洗浄水７を集じんユニット２に噴霧１２する洗浄装置６を備えている。
【００４３】
本発明の電気集じん機１の洗浄装置６は、ヘッダー管１０とノズル用管体９と洗浄ノズル８で構成されている。
【００４４】
ヘッダー管１０、ノズル用管体９、洗浄ノズル８はそれぞれ筐体３の内部に設けられ、それぞれ集じんユニット２の上方に配置されている。すなわち、洗浄装置６は筐体３の内部に設けられ、集じんユニット２の上方に配置されている。
【００４５】
高圧の洗浄水７が外部配管から洗浄弁１１を通ってヘッダー管１０に供給され、ヘッダー管１０から複数のノズル用管体９に共通に供給される。ここでノズル用管体９とヘッダー管１０は共に円管であり、溶接法などの接合方法によって水密に接合されている。
【００４６】
洗浄装置６はヘッダー管１０を通風方向に対し水平に配置し、複数のノズル用管体９を通風方向に対し垂直な向きにそれぞれ平行に配置している。
【００４７】
尚、洗浄装置６はヘッダー管１０を通風方向に対して垂直に配置し、ノズル用管体９を通風方向に対して水平に配置しても良い。
【００４８】
ノズル用管体９には複数の洗浄ノズル８が取り付けられ、集じんユニット２に向けて洗浄水７を噴霧１２する。
【００４９】
集じんユニット２の下方にはドレンパン１３が配置され、集じんユニット２に堆積した煤じんを洗い流した洗浄水７を排水口１４から機外に排水する。
【００５０】
ここで、洗浄ノズル８はその形状がストレートな筒状であり、洗浄水がその先端から断面角度７０°から１５０°で円錐状に噴霧１２する。
【００５１】
また、洗浄ノズル８はノズル用管体９に５０から３００ｍｍのピッチで取り付けている。このとき、洗浄ノズル８から集じんユニット２までの距離は３０から２００ｍｍの範囲であり、洗浄ノズル８の先端から円錐状に噴霧１２される角度や洗浄ノズル８の設置数に応じて集じんユニット２の上面が洗浄水７でカバーされるように適宜設計される。
【００５２】
図１および図２の電気集じん機１は複数の洗浄ノズル８の一部が洗浄水７の噴霧方向を鉛直下向きから１０から６０度の角度をつけた方向に配置している。
【００５３】
これにより洗浄水の噴霧方向の集じんユニットまでの距離が長くなり、１つの洗浄ノズル８から集じんユニット２上面へ散布される噴霧１２の面積が大きくなる。このため、集じんユニット２と洗浄ノズル８の距離が短くても洗浄ノズル８の数を増やすことなく集じんユニット上面全体をカバーすることができる。すなわち安価で全高の低い電気集じん機を提供できる。
【００５４】
尚、噴霧方向の鉛直下向きからの角度は、風上向きに限らずあらゆる方向であっても同じ効果を得られる。
【００５５】
また、一般的にヘッダー管１０に取り付けられるノズル用管体９のピッチは集じんユニット２の通風方向の大きさに依存し、そのピッチが小さいほどノズル用管体９の数が増加し、製作費用が増大する。しかし、本発明によれば、１つの洗浄ノズル８から集じんユニット２上面へ散布される噴霧１２の面積を大きくできるため、ヘッダー管１０に取り付けられるノズル用管体９のピッチを長くすることができる。このため、ノズル用管体９の数の増加を抑え、製作費用を抑えることができる。
【００５６】
次に、図３に示すように複数の洗浄ノズル８の内、通風方向に対し風上端または風下端にある洗浄ノズル８の一部または全部は、その噴霧方向が集じんユニット２の中央側に向けて配置される構成にしてもよい。
【００５７】
これにより、風上端または風下端の洗浄ノズル８から噴霧１２される洗浄水７が集じんユニット２の外部へ飛散する洗浄水７を遮蔽するため、集じんユニット２の外に飛散する洗浄水７を少なくできる。
【００５８】
次に図４に示すようにノズル用管体９の洗浄ノズル８（８ａ、８ｂ、８ｃ、８ｄ）において、通風方向側に隣り合う２つの洗浄ノズル（８ａと８ｂ、又は８ｃと８ｄ）から噴霧される洗浄水７が集じんユニット２の上方で互いに交差する構成にしてもよい。
【００５９】
ここで、集じんユニット２の極板はステンレス製で板厚は０．５ｍｍ程度であり、高電圧が印加される板と接地される板の間隔は５から２０ｍｍ程度である。
【００６０】
電気集じん機１は極板と極板の間に強電界が形成されるほど集じん性能が高まるので、この間隔は小さく設定されることが多く、極板間隔は洗浄ノズル８の通風方向に垂直な向きの取付ピッチと比べて小さくなる。
【００６１】
そのため、通風方向に垂直な向きに洗浄ノズル８から離れた極板は、洗浄ノズル８から噴霧１２された洗浄水７が集じんユニット２の下側まで直接掛からずその大部分は極板表面を伝って落下又は下降により煤じんを洗い流している。
【００６２】
図４に示す構成であれば、集じんユニット２の上方で洗浄ノズル８から噴霧１２された洗浄水７が互いに干渉し水流が乱れる。これにより極板上に付着する洗浄水７の量と付着角度を変化させることができるので極板表面上を伝って落下する際に細長い水路が形成されにくくなる。
【００６３】
更に、噴霧１２された洗浄水７が集じんユニット２の上方で交差し、互いに衝突するので、衝突後の洗浄水７の一部が噴霧方向に対する極板の裏面にかかる。このように、洗浄ノズル８の噴霧方向に対して極板の裏面にも洗浄水７が掛かりやすくなるので、煤じんの洗い残しを減らせる。
【００６４】
次に図５に示すように複数の洗浄ノズル８（８ａ、８ｂ、８ｃ、８ｄ）の内、通風方向端部に近い洗浄ノズル（８ａ、８ｄ）よりも集じんユニット２の中央に近い洗浄ノズル（８ｂ、８ｃ）ほど鉛直下向きに対する角度を大きくつける構成にしてもよい。尚、ここでの集じんユニット２の中央は通風方向における中央としている。
【００６５】
これにより、集じんユニット２の中央に近い洗浄ノズル８ほど集じんユニット２の上面を噴霧する面積が大きくなり、かつ通風方向側に隣り合う２つの洗浄ノズル８から噴霧１２される洗浄水７が互いに交差する量が増す。
【００６６】
これにより集じんユニット２の上方では洗浄ノズル８から噴霧１２された洗浄水７が互いに干渉し水流がより乱れ前述の効果を得られるだけでなく、通風方向端部の洗浄ノズル８は集じんユニット２の直上から近い位置に配置することが可能となり、洗浄装置６の通風方向への大きさがコンパクトになり好ましい。
【００６７】
次に図６に示すように複数の洗浄ノズル８は集じんユニット２の中央の直上を避けて配置する構成にしてもよい。
【００６８】
これにより、通風方向の風上端または風下端に洗浄ノズル８を配置すればよく、噴霧状態の点検や洗浄ノズル８の交換が容易になるだけでなく、ノズル用管体９及び洗浄ノズル８の数量を減らすことが可能となり製作費用を抑えられる。
【００６９】
（実施の形態２）
電気集じん機１は、洗浄弁１１の駆動に圧縮空気が用いられることが多い。また、洗浄水７が機外へ飛散するのを防止するために流入側と流出側に図示しないダンパを配置する場合があるが、そのダンパの駆動にも圧縮空気が用いられる。
【００７０】
図７に示すように集じんユニット２の通風方向の風上端よりも風上または風下端よりも風下に空気配管２１を設け、鉛直下向きに対して集じんユニットの中央側に角度をつけて圧縮空気１５が吹き出す構成にしてもよい。
【００７１】
これにより、圧縮空気１５を洗浄時に吐出すれば集じんユニット２の外部へ飛散する洗浄水７を遮蔽するため、洗浄水７が集じんユニット２の外に飛散しにくくなり、従来の電気集じん機に取り付けられていたダンパが不要になり製作費用を抑えられる。
【００７２】
なお、実施の形態１の各構成をそれぞれ本実施の形態に導入することは可能であり、その場合であっても実施の形態１の各構成の効果を得ることができる。
【００７３】
（実施の形態３）
電気集じん機１は処理風量を増やすために複数の集じんユニット２が筐体内に段積みして設置される。
【００７４】
図８に示すように洗浄装置６は集じんユニットのそれぞれ上方に配置している。
【００７５】
また、下段の集じんユニットの上方には下段の集じんユニットに洗浄水を噴霧する複数の洗浄ノズル８を配置し、上段の集じんユニットの上方には上段の集じんユニットに洗浄水を噴霧する複数の洗浄ノズル８を配置している。
【００７６】
ここでの洗浄装置６は集じんユニット１台に対して配置した洗浄装置６と同様の構造であり、洗浄弁１１から供給された洗浄水７は、上段および下段のヘッダー管１０に共通に分岐され、それぞれのノズル用管体９をとおり洗浄ノズル８から集じんユニット２に向けて噴霧１２される。
【００７７】
このとき、下段の複数の洗浄ノズル８から噴霧１２される水量は上段の複数の洗浄ノズル８から噴霧１２される水量よりも少ない構成とすることにより、下段の集じんユニットは上段の集じんユニットから滴下する洗浄水７が掛かり極板上の煤じんを洗い流すので、少ない洗浄水量で所定の洗浄効果を得ることができる。
【００７８】
尚、図８に示すように下段の複数の洗浄ノズル８の一部は上段の集じんユニットおよび下段の集じんユニットの両方に洗浄水７を噴霧１２する構成にすることで、上段の集じんユニットは上方からの水流と下方からの水流が交差するので、集じんユニットの下方で水路が形成されにくく洗い残しを減らせる。
【００７９】
また、図９に示すように集じんユニットの通風方向の風上端または風下端の外側に洗浄水ガイド１６を設け、洗浄水ガイド１６は上段の集じんユニットから降下する洗浄水７を下段の集じんユニット上面にガイドして流す構成にする。これにより、集じんユニット２の外部への飛散量を減らし、下段集じんユニットの洗浄効果を高められる。
【００８０】
なお、実施の形態１または２の各構成をそれぞれ本実施の形態に導入することは可能であり、その場合であっても実施の形態１または２の各構成の効果を得ることができる。
【００８１】
（実施の形態４）
図１０は図９の点線Ａの部分における集じんユニット２の各極板１７の下端部の形状を示す。
【００８２】
極板１７の下端は通風方向において集じんユニットの端部から中央に向かうにつれて下降する傾斜１８を付けた形状にすることで、集じんユニットの上段から下段に滴下する水滴１９が表面張力により通風方向の中央部方向へ移動するため、集じんユニット外部への飛散量を減らし、下段集じんユニットの洗浄効果を高められる。
【００８３】
なお、本実施の形態では極板１７を特定の形状としたが、本発明の極板は一般的な形状としてもよい。
【産業上の利用可能性】
【００８４】
本発明は、トンネル内の煤じんを捕集する電気集じん機に用いることが可能である。
【符号の説明】
【００８５】
１  電気集じん機
２  集じんユニット
３  筐体
４  帯電部
５  集じん部
６  洗浄装置
７  洗浄水
８  洗浄ノズル
９  ノズル用管体
１０  ヘッダー管
１１  洗浄弁
１２  噴霧
１３  ドレンパン
１４  排水口
１５  圧縮空気
１６  ガイド
１７  極板
１８  傾斜
１９  水滴
２０  気流
２１  空気配管
【図１】
2015100751.tif 000003
【図２】
2015100751.tif 000004
【図３】
2015100751.tif 000005
【図４】
2015100751.tif 000006
【図５】
2015100751.tif 000007
【図６】
2015100751.tif 000008
【図７】
2015100751.tif 000009
【図８】
2015100751.tif 000010
【図９】
2015100751.tif 000011
【図１０】
2015100751.tif 000012
【図１１】
2015100751.tif 000013